(57)【要約】【課題】  引出しを一方側から引き出しても、他方側からはその状況が目隠しされ、かつ引出しの収納箱体の位置を常に正確に位置決めできる両引き引出し構造を提供する。【解決手段】  引出し本体７は、収納箱体８、正面側前板９及び背面側前板１０を有し、両前板９、１０は収納庫側板に設けた固定レール体１１、１２、１３、１４に摺動自在の支持レール１９、２０、２１、２２をそれぞれ有し、収納箱体８が収納位置にあるとき、両前板９、１０とも収納箱体８と分離され、両前板９、１０のいずれか一方の前板９、１０が外方に引き出されたとき、その前板９、１０と収納箱体８とが連結状態になる構造であり、前板９、１０と収納箱体８との分離位置の近傍で引出し本体７の収納方向への動きに制動を与える制動手段３６、３７を設けた。【選択図】  図２
2005323665.tif 000002
【特許請求の範囲】
【請求項１】
引出し本体を収納庫の正面側からも背面側からも引き出すことができる双方向に引き出し自在な両引き引出し構造であって、前記引出し本体は、収納箱体、正面側前板及び背面側前板を有し、前記両前板は収納庫側板に設けた固定レール体に摺動自在の支持レールをそれぞれ有し、前記収納箱体が収納位置にあるとき、両前板とも該収納箱体と分離され、両前板のいずれか一方の前板が外方に引き出されたとき、その前板と収納箱体とが連結状態になる構造であり、前記前板と前記収納箱体との分離位置の近傍で前記引出し本体の収納方向への動きに制動を与える制動手段を有していることを特徴とする両引き引出し構造。
【請求項２】
前記制動手段が、前記収納箱体と前記収納庫側板との間に配置された緩衝器と、前記支持レールに設けられた前記緩衝器に当接できる当接部とで構成された請求項１に記載の両引き引出し構造。
【請求項３】
前記前板は、前記収納箱体の左右に配置される少なくとも２本の支持レールを有し、前記緩衝器が前記支持レールの当接部に当接できるように左右に少なくとも２つ配置されている請求項２に記載の両引き引出し構造。
【請求項４】
前記前板または前記支持レールに連結作動体が設けられ、前板が引出し収納位置にあるとき、前記連結作動体が前記収納箱体との分離状態を維持し、前板が引き出されたとき、前記連結作動体が前記収納箱体と係合して連結状態を保つ請求項１ないし３のいずれかに記載の両引き引出し構造。
【請求項５】
前記連結作動体は前記支持レールに垂直方向に回動自在に支承した回動レバーであり、前記収納箱体には、該回動レバーと係合可能な係合部が設けられており、前記回動レバーには、該回動レバーを前記係合部に係合させる方向に回動付勢することができる重しが設けられている請求項４に記載の両引き引出し構造。
【請求項６】
前記回動レバーの内方側の先端には、前記収納箱体の係合部と当接して前記回動レバーを回動させるためのテーパが形成されている請求項５に記載の両引き引出し構造。
【請求項７】
請求項１ないし６のいずれかに記載の両引き引出し構造を備えたことを特徴とするキッチン台。
【発明の詳細な説明】
【技術分野】
【０００１】
本発明は、引出し本体を収納庫の正面側からも背面側からも引き出すことができる双方向に引き出し自在な両引き引出し構造に関する。
【背景技術】
【０００２】
両引き引出しは、例えば特許文献１に記載されているように、主婦がキッチン側で調理を終えハッチカウンタ上で盛り付けを行った後、ダイニング側に移動してダイニング側から引出しを開けその内に収納してある所望のスプーン、フォーク等の食器具等を取り出してダイニングテーブル上にて配膳し、その後、ダイニングテーブル上の使用済み食器等をハッチカウンタ上に片付け、キッチン側に移動して使用済み食器の洗浄を行い、キッチン側から引出しを開けてその洗浄した食器具等を引出し内に速やかに収納することができるので便利である。
【０００３】
そしてこのような両引き引出しの具体的構造は、例えば特許文献２に記載されているように、側板に固定の外レールと、引出しと一体の支持レールとの間に内レールを介在させ、双方向に引き出せるようにしたものが知られている。
【０００４】
【特許文献１】特開平５−２７７０１７号公報（第２頁、図１）
【特許文献２】特開昭５６−９１７１１号公報（第２頁、図１、２）
【発明の開示】
【発明が解決しようとする課題】
【０００５】
しかしながら、上記特許文献２に記載の引出しは、一方側から引き出すと他方側は凹み空間が形成されるので、体裁が悪いばかりでなく、引き出す度に気になり、しかもその凹み空間にゴミ等が入り込み易かった。また、双方向に引き出せるために、引出しの収納位置が定まらず、閉めたつもりで半開きになっていることがあった。
【０００６】
本発明は、このような状況に鑑みてなされたものであり、引出しを一方側から引き出しても、他方側からはその状況が目隠しされ、かつ引出しの収納箱体の位置を常に正確に位置決めできる両引き引出し構造を提供することを目的とするものである。
【課題を解決するための手段】
【０００７】
上記課題を解決するために、本発明の請求項１に記載の両引き引出し構造は、引出し本体を収納庫の正面側からも背面側からも引き出すことができる双方向に引き出し自在な両引き引出し構造であって、前記引出し本体は、収納箱体、正面側前板及び背面側前板を有し、前記両前板は収納庫側板に設けた固定レール体に摺動自在の支持レールをそれぞれ有し、前記収納箱体が収納位置にあるとき、両前板とも該収納箱体と分離され、両前板のいずれか一方の前板が外方に引き出されたとき、その前板と収納箱体とが連結状態になる構造であり、前記前板と前記収納箱体との分離位置の近傍で前記引出し本体の収納方向への動きに制動を与える制動手段を有していることを特徴としている。
この特徴によれば、一方の前板が収納箱体とともに連結状態となって外方に引き出されても、引出しの反対側は他方の前板で前面を塞いでいるので、体裁が良いだけでなく、ゴミ等が侵入することがない。また、引出し本体の収納箱体はその収納位置で前板と分離されるので、収納位置で収納箱体が前板の動きの影響を受けにくくなっているばかりか、収納庫の正面側または背面側のいずれか一方側から引出し本体を収納するとき、引出し本体の移動速度が制動手段によって一時的に制動されることになり、前板から分離された収納箱体が収納位置を通り越して収納庫の他方側から飛び出すことを防ぐことができる。
【０００８】
本発明の請求項２に記載の両引き引出し構造は、請求項１に記載の両引き引出し構造であって、前記制動手段が、前記収納箱体と前記収納庫側板との間に配置された緩衝器と、前記支持レールに設けられた前記緩衝器に当接できる当接部とで構成されたことを特徴としている。
この特徴によれば、収納箱体と収納庫側板との間に緩衝器が配置されるので、外部から緩衝器を隠蔽できるようになり、収納庫の美観が向上されるとともに、緩衝器と、この緩衝器に当接される支持レールに設けられた当接部という簡素な構成で制動手段を設けることができる。
【０００９】
本発明の請求項３に記載の両引き引出し構造は、請求項２に記載の両引き引出し構造であって、前記前板は、前記収納箱体の左右に配置される少なくとも２本の支持レールを有し、前記緩衝器が前記支持レールの当接部に当接できるように左右に少なくとも２つ配置されていることを特徴としている。
この特徴によれば、収納箱体の左右配置された２本の支持レールの当接部に、左右に配置された２つの緩衝器が当接されることで、収納箱体を安定して制動させることができる。
【００１０】
本発明の請求項４に記載の両引き引出し構造は、請求項１ないし３のいずれかに記載の両引き引出し構造であって、前記前板または前記支持レールに連結作動体が設けられ、前板が引出し収納位置にあるとき、前記連結作動体が前記収納箱体との分離状態を維持し、前板が引き出されたとき、前記連結作動体が前記収納箱体と係合して連結状態を保つことを特徴としている。
この特徴によれば、前板または支持レールに連結作動体が設けられていることで、前板の操作に応じて前板と収納箱体との連結、分離を自動的に行うことができる。
【００１１】
本発明の請求項５に記載の両引き引出し構造は、請求項４に記載の両引き引出し構造であって、前記連結作動体は前記支持レールに垂直方向に回動自在に支承した回動レバーであり、前記収納箱体には、該回動レバーと係合可能な係合部が設けられており、前記回動レバーには、該回動レバーを前記係合部に係合させる方向に回動付勢することができる重しが設けられていることを特徴としている。
この特徴によれば、支持レールに回動自在に支承された回動レバーと係合部という簡素な構成で前板と収納箱体とを連結、及び分離することができ、かつ重しによって回動レバーが、収納箱体の係合部に係合される方向に常に回動付勢されるようになり、回動レバーの作動不良を極力減少させることができる。
【００１２】
本発明の請求項６に記載の両引き引出し構造は、請求項５に記載の両引き引出し構造であって、前記回動レバーの内方側の先端には、前記収納箱体の係合部と当接して前記回動レバーを回動させるためのテーパが形成されていることを特徴としている。
この特徴によれば、回動レバーの作動不良等により収納箱体の係合部と係合されずに前板と支持レールが引き出された場合でも、前板と支持レールを収納庫内に収納させると、回動レバーの内方側の先端のテーパに、収納箱体の係合部が当接して回動レバーが回動されるようになり、再び収納箱体の係合部に回動レバーを係合させることができる。
【００１３】
本発明の請求項７に記載のキッチン台は、請求項１ないし６のいずれかに記載の両引き引出し構造を備えたことを特徴としている。
この特徴によれば、使用者がキッチン台の正面側と背面側の双方から引出し本体内の収納物を出し入れできるので、キッチン台を周り込んで移動する必要がなくなる。
【発明を実施するための最良の形態】
【００１４】
本発明の実施例を以下に説明する。
【実施例】
【００１５】
本発明の実施例を図面に基づいて説明すると、先ず図１は、本発明の実施例における両引き引出し構造を備えた収納庫としてのキッチン台を示す斜視図である。図１の符号１は、本発明の両引き引出し構造が適用されたキッチン台１であり、このキッチン台１は、システムキッチンなどにおけるキッチンとダイニングの間に設置されるようになっている。
【００１６】
図１に示すように、このキッチン台１は左右に脚体２、３が配置され、この脚体２、３の上部には、蛇口４やシンク５等が設けられた天板６が配置されており、キッチン台１の正面側はキッチンに向き、背面側はダイニングに向くようになっている。また、食器等を収納できるように、本実施例における引出し本体としての両引き引出し７を備えており、この両引き引出し７は、正面側及び背面側の何れか一方向に引き出せる収納箱体８を有している。
【００１７】
更に、この両引き引出し７には、収納箱体８と別体の２枚の前板９、１０が正面側と背面側とに設けられており、正面側の前板９を引き出せば収納箱体８は連動して正面側の外方に引き出され、背面側の前板１０を引き出せば背面側に引き出せるので、使用者がキッチン台１を周り込んで移動することなく、キッチン及びダイニングのどちらからでも収納箱体８内の食器等の収納物を取り出すことができるようになっている。
【００１８】
次に、両引き引出し７の具体的構造について図２に基づいて説明すると、図２は、両引き引出し７を示す斜視図であり、以下、図２の左斜め上を正面側、右斜め下を背面側として説明する。
【００１９】
図２に示すように、収納箱体８を挟んで正面側に前板９、背面側に前板１０が配置されており、収納箱体８の両側部には、４つの固定レール体１１、１２、１３、１４が配置され、それぞれの固定レール体１１、１２、１３、１４には、摺動体１５、１６、１７、１８を介して全引き出し（フルエクステンション）可能な支持レール１９、２０、２１、２２が伸縮自在に取り付けられている。
【００２０】
支持レール１９、２０、２１、２２の外方側の端部には、連結部２３、２４、２５、２６が設けられ、前板９、１０の裏面に固着された取付体３１、３２、３３（図３参照）に対して、連結部２３、２４、２５、２６が連結されることで、それぞれの前板９、１０が支持レール１９、２０、２１、２２に固定されており、正面側の前板９に固定された１組の支持レール１９、２１と、背面側の前板１０に固定された１組の支持レール２０、２２が上下に平行配置（積層配置）されている。また、それぞれの前板９、１０の上辺には、引出し７を開放させる際に、使用者が掴むことができる横長の把手３４、３５が、前板９、１０の長手方向に沿って設けられている。
【００２１】
そして収納箱体８の側部には、４つのメインローラー５１、５２、５３、５４と４つの補助ローラー５５、５６、５７、５８が取り付けられ、図２に示すように、収納箱体８が背面側に引き出された状態では、収納箱体８の上方に配置されているメインローラー５２、５４と補助ローラー５６、５８を介して、収納箱体８が上方の支持レール２０、２２上に載置されている。複数のローラーを用いて収納箱体８が支持レール１９、２０、２１、２２上に載置されることで、収納箱体８が動き易くなっている。
【００２２】
更に、両引き引出し７の具体的構造について詳述すると、図３は、両引き引出し７を示す縦断側面図であり、図４は、図３におけるＡ−Ａ縦断面図であり、以下、図３の左側を正面側、右側を背面側として説明する。
【００２３】
図３に示すように、下方の支持レール１９に対応したメインローラー５１と補助ローラー５５はそれぞれ同じ高さの枢軸８１、８２に軸支されるとともに、上方の支持レール２０に対応したメインローラー５２と補助ローラー５６はそれぞれ同じ高さの枢軸８３、８４に軸支されている。また、支持レール１９、２０の内方側の端部には、後述するように引出し７を出し入れする際に、メインローラー５１、５２、５３、５４及び補助ローラー５５、５６、５７、５８が当接される傾斜部材４４、４５が取り付けられている。
【００２４】
補助ローラー５５、５６の直径はメインローラー５１、５２の直径よりも小さく形成されており、図３に示すように、収納箱体８が収納位置にあるときには、直径の小さな補助ローラー５５、５６は支持レール１９、２０の上面に当接されておらず、側面視で対角線上に配置されているメインローラー５１とメインローラー５２のみが、上下のそれぞれの支持レール１９、２０の上面に載置され、収納箱体８の一側面が前後２つの支持位置で支持されるようになっている。そのため収納箱体８を支持するための最小限度の支持位置（メインローラー５１、５２、５３、５４）の４点で収納箱体８を支持することができ、両引き引出し７の組み立ての際に、多少の製作誤差が生じても、収納箱体８をがたつかせることなくスムーズに出し入れできるようになっている。
【００２５】
支持レール１９、２０、２１、２２の端部に取り付けられた連結部２３、２４、２５、２６内側部には、本実施例における連結作動体としての回動レバー２７、２８、２９、３０が枢軸５９、６０を軸として垂直方向に回動自在に支承され、回動レバー２７、２８の内方側の端部には、第１係合片６１、６２が上方に延設されている。この第１係合片６１、６２の近傍には、第２係合片６３、６４が延設されるとともに、回動レバー２７、２８の内方側の先端部にはテーパ６５、６６が形成されている。
【００２６】
そして図３に示すように、収納箱体８の側部には、本実施例における係合部としての係合ピン７９、８０が設けられており、この係合ピン７９、８０は第１係合片６１、６２もしくは第２係合片６３、６４のいずれかに係合できるようになっている。
【００２７】
また、図３に示す回動レバー２７、２８の下方には係止部６７、６８が形成され、前板９、１０が閉められた状態では、この回動レバー２７、２８の係止部６７、６８が、固定レール体１１、１２に固着された係止片６９、７０に係止されるようになっており、正面側及び背面側双方の回動レバー２７、２８が係合ピン７９、８０と外れるので、回動レバー２７、２８は収納箱体８との分離状態を維持することができ、収納箱体８は収納位置に配置されるようになる。
【００２８】
更に、枢軸５９、６０を境に、回動レバー２７、２８の外方側の重さは、回動レバー２７、２８の内方側の重さよりも重くなるように形成され、前板９、１０が引き出されたときに、固定レール体１１、１２の係止片６９、７０から回動レバー２７、２８の係止部６７、６８が離れ、回動レバー２７、２８は、自重によって内方側が上方に回動されるようになっている。
【００２９】
また、回動レバー２７、２８の枢軸５９、６０には、付加的に巻きバネ（図示略）等の付勢手段が設けられ、自重による回動と巻きバネ（図示略）によって、回動レバー２７、２８の作動不良を極力低減できるようになっている。回動レバー２７、２８の外方側には、縦長の案内孔７１、７２が形成されており、連結部２３、２４に固定されたガイドピン７３、７４が案内孔７１、７２に挿通されることで、回動レバー２７、２８の回動が所定範囲で規制されるようになっている。
【００３０】
更に、図３に示すそれぞれの固定レール体１１、１２、１３、１４の内側部には、本実施例における緩衝器としてのエアダンパー３６、３７、３８、３９が固着されており、それぞれの支持レール１９、２０の略中央部には、エアダンパー３６、３７に立設された当接片４０、４１に当接できるように当接部４２、４３が設けられ、エアダンパー３６、３７と支持レール１９、２０に設けられた当接部４２、４３とにより、本実施例における制動手段が構成されている。
【００３１】
図４に示すように、この固定レール体１１、１２は、断面が略Ｌ字状に形成され、ネジ（図示略）によりキッチン台１の板材７５に固着され、上下の支持レール１９、２０は断面が略Ｃ字状をなし、摺動体１５、１６を介して固定レール体１１、１２と連結されるとともに、支持レール１９、２０及び固定レール体１１、１２と、摺動体１５、１６との間にはボール７６が複数配置されており、このボール７６を介することにより、それぞれの支持レール１９、２０がキッチン台１の正面方向及び背面方向に円滑に摺動案内されるようになっている。
【００３２】
収納箱体８の両側部には、上下２段の断面視で略コ字形状をなす隠蔽片７７、７８が形成されている。収納箱体８の両側部は同一構成なので、収納箱体８の片方の側部について説明すると、図４に示すように、隠蔽片７７、７８の内部に、上下の支持レール１９、２０及び摺動体１５、１６が配置されるようになっており、コンパクトに収納したレール構造を提供できるようになっている。
【００３３】
尚、図４に示すように、メインローラー５１、５２、５３、５４と、補助ローラー５５、５６、５７、５８、支持レール１９、２０と、摺動体１５、１６と、係合ピン７９、８０と、回動レバー２７、２８とが、隠蔽片７７、７８の内側に配置されることで、こられの部材が、引出し７を引き出したときに外部から隠蔽されるので、引出し７の見栄えを良くすることができる。
【００３４】
更に図４に示すように、固定レール体１１、１２の内側部に設けられたエアダンパー３６、３７は、収納箱体８と、本実施例における収納庫側板としての板材７５との間に配置されており、常に外部から隠蔽されるとともに、引出し７を引き出したときであっても収納箱体８によって隠蔽されるので、キッチン台１の美観が向上するようになっている。
【００３５】
両引き引出し７の使用例について図５から図８を用いて詳述すると図５は、回動レバー２７と係合ピン７９を示す側面図であり、図６は、引出し７が引き出されたときの側面図であり、図７は、正面側の引出し７が引き出されたときの縦断側面図であり、図８は、背面側の引出し７が引き出されたときの縦断側面図であり、以下、図５から図８の左側を正面側、右側を背面側として説明する。
【００３６】
回動レバー２７、２８の動きについて詳述すると、図５に示すように、使用者が正面側の前板９の把手３４を掴んで正面方向（前方側）に引くと、回動レバー２７の係止部６７が、固定レール体１１の係止片６９から離れるので、回動レバー２７が枢軸５９を中心に回転するようになり、このとき第２係合片６３の高さは第１係合片６１の高さよりも低くなるように形成されているため、回動レバー２７の第２係合片６３が収納箱体８の係合ピン７９の下方を通過し易くなっている。
【００３７】
そして図６に示すように、収納箱体８の係合ピン７９が回動レバー２７の第１係合片６１に係合されると、正面側の前板９と収納箱体８とが連結状態となり、前板９の移動とともに収納箱体８が正面側の外方（前方側）に引き出されるようになっている。第１係合片６１は第２係合片６３よりも高くなるように形成されているため、係合ピン７９の下方を第２係合片６３が通過した後、係合ピン７９が第１係合片６１に係合され易くなっており、回動レバー２７の作動不良が低減されるようになっている。
【００３８】
図７に示すように、正面側の前板９と収納箱体８が引き出された際には、背面側の前板１０は、収納箱体８と分離状態になり、収納箱体８と連動せず残るため、この前板１０でキッチン台１の背面側を塞ぐことができ、キッチン台１の背面側に凹みをつくらずに体裁が良くなるばかりか、正面側の引き出し操作に違和感がない。かつゴミ等の侵入を防ぐことができるようになっている。このように回動レバー２７、２８と係合ピン７９、８０という簡素な構成により、前板９、１０の引き出し操作に応じて前板９、１０と収納箱体８との自動連結及びその自動分離が実現できるようになっている。
【００３９】
正面側の前板９が所定位置以上に引き出されたときには、図７に示すように、上方に配置されているメインローラー５２が、上方の支持レール２０から脱輪するとともに、下方に配置されている補助ローラー５５が下方に配置されている支持レール１９の上面に載置されるようになっている。このとき下方に配置されているメインローラー５１と補助ローラー５５によって前後２つの支持位置で、収納箱体８が下方の支持レール１９に支持されるようになっている。
【００４０】
背面側の前板１０の把手３５を背面方向（前方側）に引いた際には、図８に示すように、上方の支持レール２０に設けられている背面側の回動レバー２８が作動し、背面側の前板１０と収納箱体８が連結状態になって背面方向（前方側）に引き出すことができ、所定位置以上引き出された場合、下方に配置されているメインローラー５１が、下方の支持レール１９から脱輪するとともに、上方に配置されている補助ローラー５６が上方に配置されている支持レール２０の上面に載置されるようになっている。このとき上方に配置されているメインローラー５２と補助ローラー５６によって前後２つの支持位置で、収納箱体８が上方の支持レール２０に支持されるようになっている。
【００４１】
収納箱体８が大きく引き出されたとき、すなわち上述した所定位置以上に引き出し量があった場合、下方の支持レール１９及び上方の支持レール２０のいずれかの前後２つの支持位置に載置されたメインローラー５１、５２及び補助ローラー５５、５６によって、収納箱体８が支持されるようになっているので、引出し７を大きく引き出して、収納箱体８を大きく開放させることができる。そのため収納箱体８内の正面側及び背面側のどちらかに食器具等の収納物が寄ることがあっても、双方から収納物を取り出し易くなっている。
【００４２】
収納箱体８が収納されるときの両引き引出し７について図９及び図１０を用いて説明すると、図９は、引出し７が収納されるときの縦断側面図であり、図１０は、支持レール１９がダンパー３６に当接されたときの縦断側面図であり、以下、図９及び図１０の左側を正面側、右側を背面側として説明する。
【００４３】
引出し７が引き出された状態において、図９に示すように、使用者が正面側の前板９の把手３４を押すと、収納箱体８の係合ピン７９と回動レバー２７が連結状態で、前板９とともに収納箱体８が収納方向へ移動されるようになる。すると上方のメインローラー５２が背面側の前板１０に連結された支持レール２０の端部の傾斜部材４５の傾斜面に沿って載り上がり、上方の支持レール２０の上面に載置される。すると上方の補助ローラー５５が下方の支持レール１９から離れ、収納箱体８はメインローラー５１、５２のみで上方と下方の支持レール１９、２０に支持されるようになる。
【００４４】
更に前板９が押し込まれると、図１０に示すように、回動レバー２７と係合ピン７９との分離位置の近傍で、下方の支持レール１９に設けられた当接部４２がエアダンパー３６に形成された当接片４０に当接され、エアダンパー３６の付勢力によって前板９、支持レール１９、及び収納箱体８の移動速度が共に減速される。収納箱体８の減速直後に、回動レバー２７が係止片６９に当接して回動され、回動レバー２７と収納箱体８の係合ピン７９とが分離される。収納箱体８が十分に減速された状態で、回動レバー２７が収納箱体８の係合ピン７９分離されるので、収納箱体８が収納位置を通り越して背面側から飛び出すことなく、収納位置に安定して配置されるようになっている。
【００４５】
また、収納箱体８がメインローラー５１と補助ローラー５５によって支持レール１９上に載置され前後方向に摺動され易くなっていても、回動レバー２７の第１係合片６１と第２係合片６３によって、収納箱体８の前後方向の移動を規制できる。そのため引出し７を閉鎖する際に、第２係合片６３が係合ピン７９を押圧することで、収納箱体８を収納方向へ確実に移動させることができるとともに、第１係合片６１が係合ピン７９に当接されることで、収納箱体８を確実に減速させることができるので、使用者が勢い良く前板９を閉めたときであっても収納箱体８が背面側から飛び出さないようになっている。
【００４６】
また、図２に示すように、エアダンパー３６、３８は、収納箱体８の左右両側の固定レール体１１、１３に固着されているので、前板９を閉めるときに、収納箱体８の左右に配置された支持レール１９、２１を同時に減速させることができ、支持レール１９、２１に支持される収納箱体８を安定して減速させることができるようになっている。
【００４７】
尚、背面側に配置された前板１０の把手３５を掴んで引出し７を操作したときも同様に、上方の固定レール体１２に固着されているエアダンパー３７に、上方の支持レール２０の当接部４３が当接されることで、収納箱体８を減速させることができ、正面側及び背面側のどちらからでも同様な引き出し操作が行えるようになっている。
【００４８】
回動レバー２７が作動不良を起したときの両引き引出し７ついて図１１及び図１２を用いて説明すると、図１１は、回動レバー２７が作動不良を起したときの縦断側面図であり、図１２は、回動レバー２７のテーパ６５に収納箱体８の係合ピン７９が当接されたときの縦断側面図であり、以下、図１１及び図１２の左側を正面側、右側を背面側として説明する。
【００４９】
図１１に示すように、正面側の前板９を引き出した際に、回動レバー２７が作動不良を起し、回動レバー２７の第１係合片６１が、収納箱体８の係合ピン７９と係合されずに前板９が引き出される場合があるが、このとき再び前板９を収納方向へ移動させると、図１２に示すように、回動レバー２７の内方側の先端部に形成されたテーパ６５に収納箱体８の係合ピン７９が当接され、回動レバー２７の内方側の先端部が下方に回動されるようになり、再度、第１係合片６１が係合ピン７９に係合させ、収納箱体８を引き出すことができるようになっている。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、上記実施例では、本発明の両引き引出し構造は、システムキッチンなどに用いられるシンク等が設けられたキッチン台に適用されていたが、本発明はこれに限定されるものではなく、その他の家庭用の家具等に備えて使用してもよいし、オフィス等で使われる机や棚等の什器類に適用してもよい。
【００５２】
また、上記実施例では、連結作動体が支持レールの外方側の端部に設けられた連結部に取り付けられているが、本発明はこれに限定されるものではなく、支持レールの内方側の端部や支持レールの中間部に取り付けてもよいし、前板に連結作動体を設けたとしても、上記実施例と同様な効果を得ることができる。
【００５３】
更に、上記実施例では、固定レール体に固着されたダンパーが、支持レールの当接部に当接されることで、制動手段を構成していたが、本発明はこれに限定されるものではなく、ダンパーが前板に当接されるようにしてもよいし、収納箱体に当接されるようにしてもよい。また、ダンパーの固着される部位も固定レール体に限ることなく、支持レールにダンパーを固着させ、ダンパーに当接できる当接部を固定レール体に形成し、制動手段を構成するようにしてもよいし、収納箱体にダンパーを固着させ、このダンパーに当接できる当接部を収納庫側板などから延設することで、制動手段を構成するようにしてもよい。
【００５４】
尚、上記実施例では、緩衝器としてエアダンパーが用いられていたが、本発明はこれに限定されるものではなく、オイルダンパーを用いてもよいし、ダンパーのみならずコイルバネ等の付勢手段をダンパーの換わりに用いても上記実施例と同様な効果を得ることができる。
【図面の簡単な説明】
【００５５】
【図１】本発明の実施例における両引き引出し構造を備えたキッチン台を示す斜視図である。
【図２】両引き引出しを示す斜視図である。
【図３】両引き引出しを示す縦断側面図である。
【図４】図３におけるＡ−Ａ縦断面図である。
【図５】回動レバーと係合ピンを示す側面図である。
【図６】引出しが引き出されたときの側面図である。
【図７】正面側の引出しが引き出されたときの縦断側面図である。
【図８】背面側の引出しが引き出されたときの縦断側面図である。
【図９】引出しが収納されるときの縦断側面図である。
【図１０】支持レールがダンパーに当接されたときの縦断側面図である。
【図１１】回動レバーが作動不良を起したときの縦断側面図である。
【図１２】回動レバーのテーパに収納箱体の係合ピンが当接されたときの縦断側面図である。
【符号の説明】
【００５６】
１                キッチン台（収納庫）
２、３            脚体
４                蛇口
５                シンク
６                天板
７                両引き引出し（引出し本体）
８                収納箱体
９、１０          前板
１１、１２        固定レール体
１３、１４        固定レール体
１５、１６        摺動体
１７、１８        摺動体
１９、２０        支持レール
２１、２２        支持レール
２３、２４        連結部
２５、２６        連結部
２７、２８        回動レバー（連結作動体）
２９、３０        回動レバー（連結作動体）
３１、３２、３３  取付体
３４、３５        把手
３６、３７        エアダンパー（制動手段、緩衝器）
３８、３９        エアダンパー（制動手段、緩衝器）
４０、４１        当接片（制動手段）
４２、４３        当接部（制動手段）
４４、４５        傾斜部材
５１、５２        メインローラー
５３、５４        メインローラー
５５、５６        補助ローラー
５７、５８        補助ローラー
５９、６０        枢軸
６１、６２        第１係合片
６３、６４        第２係合片
６５、６６        テーパ
６７、６８        係止部
６９、７０        係止片
７１、７２        案内孔
７３、７４        ガイドピン
７５              板材（収納庫側板）
７６              ボール
７７、７８        隠蔽片
７９、８０        係合ピン（係合部）
８１、８２        枢軸
８３、８４        枢軸
【図１】
2005323665.tif 000003
【図２】
2005323665.tif 000004
【図３】
2005323665.tif 000005
【図４】
2005323665.tif 000006
【図５】
2005323665.tif 000007
【図６】
2005323665.tif 000008
【図７】
2005323665.tif 000009
【図８】
2005323665.tif 000010
【図９】
2005323665.tif 000011
【図１０】
2005323665.tif 000012
【図１１】
2005323665.tif 000013
【図１２】
2005323665.tif 000014